(57)【要約】  【課題】  温水洗浄便座装置の不使用時、必ず、便蓋を便座に重畳させる。  【解決手段】  便器の後方部に載置されるボックス部に便座の後部及び便蓋の後部が枢着され、使用位置にある前記便蓋が単独で若しくは前記便座と共に所定角度だけ回動起立せしめられて不使用位置に変移されるようにした温水洗浄便座装置において、所定条件が充足されたとき、不使用位置にある前記便蓋の表面を付勢して、前記便蓋を使用位置方向への回動を開始せしめるモータ駆動の付勢装置を、前記ボックス部に設けた。【選択図】  図２
2005279049.tif 000002
【特許請求の範囲】
【請求項１】
便器の後方部に載置されるボックス部に便座の後部及び便蓋の後部が枢着され、使用位置にある前記便蓋が単独で若しくは前記便座と共に所定角度だけ回動起立せしめられて不使用位置に変移されるようにした温水洗浄便座装置において、所定条件が充足されたとき、不使用位置にある前記便蓋の表面を付勢して、前記便蓋を使用位置方向への回動を開始せしめる付勢装置を、前記ボックス部に設けた、温水洗浄便座装置。
【発明の詳細な説明】
【技術分野】
【０００１】
本発明は、温水洗浄便座装置に関し、特に温水洗浄便座装置の不使用時、便蓋が必ず便座に重畳されるようにすることを可能ならしめる装置に関する。
【背景技術】
【０００２】
温水洗浄便座装置における便蓋は、使用位置にある便座に重畳されることにより、便器内の臭いのトイレ空間内への拡散を防止すると共に、便座が内蔵ヒターにより常時通電発熱されている場合の放熱を防止する。しかして、温水便座洗浄装置が不使用の場合であっても、便蓋は不使用位置に置かれたまま（つまり、ロータンクの前面に立てかけられた状態のまま）であることが常態であるので、上記した悪臭発散防止及び放熱防止を実効あらしめるべく、温水洗浄便座装置の不使用時ないしはトイレ空間内における人の不在時、便蓋を強制的に不使用位置に変移させて、便蓋を便座に重畳させる装置が、種々、提供されている。その一例が、特許文献１に開示されている。
【０００３】
すなわち、この装置は、便蓋を開閉動させる駆動モータを有する駆動手段と、便器前の人体を検知する焦電センサーと、該焦電センサーが人体を検知して信号を出力すると前記駆動手段を作動させて前記便蓋を開状態にし、該焦電センサーからの出力がなくなってから所定時間が経過すると前記駆動手段を作動させて前記便蓋を閉状態にさせる制御手段を備えた便蓋自動開閉装置である。しかして、この便蓋自動開閉装置においては、焦電センサーからの出力がなくなってから所定時間経過したときを、トイレ室内に人がいない状態と判断され、便蓋が閉じられる。かくして、便蓋が便座に重畳され、悪臭発散や便座ヒータの無駄な放熱が防止される。しかして、便座も、便蓋自動開閉装置は、同様な構成を持つ便座自動開閉装置により開閉される。
【特許文献１】特開平６−１３３８９５号公報
【発明の開示】
【発明が解決しようとする課題】
【０００４】
たしかに、上記した便蓋自動開閉装置は、悪臭発散防止及び放熱防止を実効あらしめることが出来、技術的には秀でたものではあるが、難点がないではない。すなわち、上記した便蓋自動開閉装置においけるモータは１個のみであって、便蓋の後部端部の一方側に連結されており、便蓋の後部端部の他方側は便座ボックスにヒンジピンを介して枢着されている。かような構成にあっては、モータのシャフトとヒンジピンとは同軸的に配置されることが要請されるが、モータを支承する樹脂製ブラケットを便座ボックスに取り付ける際、細心の注意を払わねばならず、組み付け上の煩瑣があった。
【０００５】
それ故に、本発明は、かような不具合のない、温水洗浄便座装置を提供することを、技術的課題とするものである。
【課題を解決するための手段】
【０００６】
上記技術的課題を解決するために請求項１記載の発明において講じた技術的手段は、
「便器の後方部に載置されるボックス部に便座の後部及び便蓋の後部が枢着され、使用位置にある前記便蓋が単独で若しくは前記便座と共に所定角度だけ回動起立せしめられて不使用位置に変移されるようにした温水洗浄便座装置において、所定条件が充足されたとき、不使用位置にある前記便蓋の表面を付勢して、前記便蓋を使用位置方向への回動を開始せしめるモータ駆動の付勢装置を、前記ボックス部に設けた、温水洗浄便座装置」
を構成したことである。
【発明の効果】
【０００７】
請求項１記載の発明によれば、便蓋自身を回動させるモータを備える必要がないので、便蓋自身を回動させるモータを設けることにより齎される不具合が惹起されることはなく、実用上、多大な効果を奏する。
【発明を実施するための最良の形態】
【０００８】
本発明の実施形態例を図面に基づいて詳しく説明する。
【０００９】
図１〜図３において、温水洗浄便座装置１０は、便座２０及び便蓋３０が枢着された便座ボックス１２を備える。便座ボックス１２は、便器１４の後方部の、ロータンクの前方に、連結機構１６を介して連結機構１６は、特許出願２００３−１４６１７１に開示の構造のものである。しかして、便座ボックス１２内には周知の洗浄機構その他の機構が収容されており、便座２０に着座した使用者の人体局部のを洗浄等を行う。
【００１０】
便座２０及び便蓋３０は、男性が小用する場合、所定角度だけ回動起立せしめられて不使用位置に変移される。男性の小用以外の使用時は、便蓋３０だけが使用位置にあって、便座２０が便器１４のリム上に載置されて、便座２０は使用位置にある。温水洗浄便座装置１０が全く使用されないときは、臭いもれの防止及び便座２０の内蔵ヒータ（図示略）の放熱防止のため、後述するように、付勢装置４０により、常時、便蓋３０が便座２０に重畳されるようになっている。
【００１１】
付勢装置４０は、便座ボックス１２内に装着されたモータ４２を備える。モータ４２のシャフト４２ａにはカムローラ４４が一体的に装着されている。便座ボックス１２の表面の中央部には、スロット１２ａが画成されており、このスロット１２ａには、アーム４６が挿脱自在に嵌装されている。アーム４６の下面には、カムローラ４８が固定されており、このカムローラ４８は、軸５０を介して、便座ボックス１２に対して回動自在となっている。しかして、アーム４６と一体のカムローラ４８は、モータ４２のシャフト４２ａにはカムローラ４４上に摺接しており、モータ４２のシャフト４２ａの一方向の回動に伴い、図３に示すように、アーム４６が回動起立して不使用位置にある便蓋３０の表面に当接し、回動を続けるアーム４６は、便蓋３０を自重回動が可能となる位置にまで変移させる。その後、便蓋３０は自重で使用位置方向に回動して便座２０に重畳されると共に、モータ４２の回転方向が反転し、アーム４６が原位置に復帰される。
【００１２】
上記した付勢装置４０の動作について、敷衍すると、次の通りである。すなわち、図４に示すように、付勢装置４０は、マイコンをベースとした制御装置６０を備える。制御装置６０は、人体検知センサ６２が連結されており、この人体検知センサ６２は、例えば、便座ボックス１２の適所に設置されて、便器１４の近傍ないしは便器１４が設置されるトイレ空間の内部の人の存否を常時、制御装置６０に送信する。制御装置６０には、また、角位置センサ６４が連結されている。角位置センサ６４は、便蓋３０と一体にして便蓋３０を便座ボックス１２に対して回動可能ならしめる軸（図示略）の角位置を常時、信号として、制御装置６０に送信する。しかして、制御装置６０が人体検知センサ６２からの信号及び内部タイマー情報に依拠して人の不在が所定時間継続した旨並びに角位置センサ６４からの信号に依拠して便蓋３０が不使用位置にある旨を認識したとき、制御装置６０は、その支配下にあるモータ４２を一方向に駆動せしめて、アーム４６を回動させる。その後、角位置センサ６４からの信号により、便蓋３０が自重回動が可能となる位置にまで変移されたと制御装置６０が認識したとき、制御装置６０は、モータ４２を反転させて、アーム４６を原位置に復帰させる。
【００１３】
以上本発明の実施例を詳述したがこれはあくまで一例示であり、本発明はその主旨を逸脱しない範囲において種々変更を加えた形態で構成可能である。
【図面の簡単な説明】
【００１４】
【図１】本発明の実施形態例に係る温水洗浄便座装置の便器への装着状態を示す分解斜視図。
【図２】本発明の実施形態例に係る温水洗浄便座装置の斜視図。
【図３】不使用位置にある便蓋の表面を付勢して、便蓋を使用位置方向への回動を開始せしめるモータ駆動の付勢装置の説明図。
【図４】モータ駆動の付勢装置のブロック図。
【符号の説明】
【００１５】
１０：温水洗浄便座装置
１２：便座ボックス
２０：便座
３０：便蓋
４０：付勢装置
４２：モータ
【図１】
2005279049.tif 000003
【図２】
2005279049.tif 000004
【図３】
2005279049.tif 000005
【図４】
2005279049.tif 000006